(57)【要約】【課題】効果的な運動を提示できる運動提示装置、運動提示方法及び運動提示プログラムを提供すること。【解決手段】運動提示装置は、使用者に関連する使用者情報に基づいて設定され、使用者に実施させる運動の運動時間及び運動強度を含む運動情報を、使用者の食事の内容を示す食事情報に基づいて補正する運動補正部と、補正された運動情報に含まれる運動強度及び当該運動強度に応じた運動種別の少なくともいずれかと、補正された運動情報に含まれる運動時間とを提示する提示部と、を備える。【選択図】図１４
2015181708.tif 000002
【特許請求の範囲】
【請求項１】
使用者に関連する使用者情報に基づいて設定され、前記使用者に実施させる運動の運動時間及び運動強度を含む運動情報を、前記使用者の食事の内容を示す食事情報に基づいて補正する運動補正部と、
補正された前記運動情報に含まれる前記運動強度及び当該運動強度に応じた運動種別の少なくともいずれかと、補正された前記運動情報に含まれる前記運動時間とを提示する提示部と、を備えることを特徴とする運動提示装置。
【請求項２】
請求項１に記載の運動提示装置において、
前記運動補正部は、前記食事情報に含まれる前記食事における糖質量に基づいて、前記運動情報を補正することを特徴とする運動提示装置。
【請求項３】
請求項１又は請求項２に記載の運動提示装置において、
前記運動補正部は、前記食事情報に含まれる前記食事におけるタンパク質、脂質及び炭水化物の比率に基づいて、前記運動情報を補正することを特徴とする運動提示装置。
【請求項４】
請求項１から請求項３のいずれか１項に記載の運動提示装置において、
前記使用者情報に含まれる前記使用者の血糖値の上がり方を示す血糖値変化情報に基づいて、前記運動の開始タイミングを設定するタイミング設定部を有し、
前記提示部は、前記開始タイミングを提示することを特徴とする運動提示装置。
【請求項５】
請求項１から請求項４のいずれか１項に記載の運動提示装置において、
前記運動情報により示される前記運動を実施した場合の前記使用者の血糖値変化である運動後血糖値変化を予測する運動後血糖値予測部を有し、
前記提示部は、前記運動後血糖値変化を提示することを特徴とする運動提示装置。
【請求項６】
請求項５に記載の運動提示装置において、
前記食事情報に基づいて、前記食事を摂取した場合の前記使用者の血糖値変化である食後血糖値変化を予測する食後血糖値予測部を有し、
前記提示部は、前記食後血糖値変化、及び、前記運動後血糖値変化を提示することを特徴とする運動提示装置。
【請求項７】
使用者に実施させる運動の内容を提示する運動提示装置を用いて行われる運動提示方法であって、
前記使用者に関連する使用者情報に基づいて設定され、前記使用者に実施させる運動の運動時間及び運動強度を含む運動情報を、前記使用者の食事の内容を示す食事情報に基づいて補正する運動補正ステップと、
補正された前記運動情報に含まれる前記運動強度及び当該運動強度に応じた運動種別の少なくともいずれかと、補正された前記運動情報に含まれる前記運動時間とを提示する提示ステップと、を含むことを特徴とする運動提示方法。
【請求項８】
使用者に実施させる運動の内容を提示する運動提示装置により実行される運動提示プログラムであって、
前記運動提示装置に、
前記使用者に関連する使用者情報に基づいて設定され、前記使用者に実施させる運動の運動時間及び運動強度を含む運動情報を、前記使用者の食事の内容を示す食事情報に基づいて補正する運動補正ステップと、
補正された前記運動情報に含まれる前記運動強度及び当該運動強度に応じた運動種別の少なくともいずれかと、補正された前記運動情報に含まれる前記運動時間とを提示する提示ステップと、を実行させることを特徴とする運動提示プログラム。
【発明の詳細な説明】
【技術分野】
【０００１】
本発明は、運動提示装置、運動提示方法及び運動提示プログラムに関する。
【背景技術】
【０００２】
従来、糖尿病患者又は糖尿病の疑いがある者の血糖値データを分析して、糖代謝機能の指標を求める血糖値データ分析システムが知られている（例えば、特許文献１参照）。
この特許文献１に記載の血糖値データ分析システムは、対象者（患者や受診者等）の血糖値を計測し、測定データから各種計算式により糖代謝機能の指標としての複数のパラメーターを求める。そして、当該分析システムでは、各パラメーターと対応する閾値との比較による判定結果を参照することにより、対象者が糖尿病、或いは、境界型（糖尿病型と正常型の間）であるか否かを判定できる。
【先行技術文献】
【特許文献】
【０００３】
【特許文献１】特許第４７２８６１６号公報
【発明の概要】
【発明が解決しようとする課題】
【０００４】
ところで、糖尿病等の生活習慣病の治療法としては、食事療法、運動療法及び薬物療法が知られている。これらのうち、食事療法及び運動療法は、糖尿病患者だけでなく糖尿病予備群（上記境界型と判断される人）にも広く適用される、非常に重要な治療法である。
しかしながら、食事療法及び運動療法は、それぞれ個別に指導されることが一般的である。このため、糖尿病患者及び糖尿病予備群に対して、食事内容を考慮した運動指導が行われておらず、効果的な運動を実施できない可能性がある。
【０００５】
本発明は、効果的な運動を提示できる運動提示装置、運動提示方法及び運動提示プログラムを提供することを目的の１つとする。
【課題を解決するための手段】
【０００６】
本発明の第１態様に係る運動提示装置は、使用者に関連する使用者情報に基づいて設定され、前記使用者に実施させる運動の運動時間及び運動強度を含む運動情報を、前記使用者の食事の内容を示す食事情報に基づいて補正する運動補正部と、補正された前記運動情報に含まれる前記運動強度及び当該運動強度に応じた運動種別の少なくともいずれかと、補正された前記運動情報に含まれる前記運動時間とを提示する提示部と、を備えることを特徴とする。
【０００７】
なお、使用者情報としては、使用者の年齢や運動習慣の有無を例示できる他、通常時の血糖値、ＯＧＴＴ（Oral glucose tolerance test：経口ブドウ糖負荷試験）、並びに、最大及び安静時心拍数（最大及び安静時脈拍数）等により測定可能な血糖値変化等を例示できる。また、使用者情報に基づく運動情報は、当該使用者情報に基づいて運動提示装置が設定してもよく、運動提示装置の使用者、或いは、医療従事者等が設定してもよい。更に、運動種別とは、具体的な運動の種別を示すものであり、例えば、歩行、走行、サイクリング及び水泳等が挙げられる。
上記第１態様によれば、使用者情報に基づいて設定された運動情報は、運動補正部により、使用者が摂った食事の食事情報に基づいて補正される。そして、補正された運動情報に含まれる運動時間の他、当該運動情報に含まれる運動強度及び当該運動強度に応じた運動種別が、提示部により提示される。これによれば、使用者の食事の内容に応じた運動を、当該使用者に提示できる。従って、例えば、食後の血糖値の上昇を効果的に抑制できる運動を使用者に提示できる。また、運動強度に応じた運動種別が提示される場合には、実際に実施すべき運動を使用者が把握しやすくすることができる。
【０００８】
上記第１態様では、前記運動補正部は、前記食事情報に含まれる前記食事における糖質量に基づいて、前記運動情報を補正することが好ましい。
ここで、食事における糖質量が高いと、当該糖質量が低い場合に比べ、食後の最大血糖値が高くなりやすい。
このため、上記第１態様によれば、食事における糖質量に応じて運動情報が補正されるので、食後の血糖値の上昇を効果的に抑制できる運動を使用者に確実に提示できる。
【０００９】
上記第１態様では、前記運動補正部は、前記食事情報に含まれる前記食事におけるタンパク質、脂質及び炭水化物の比率に基づいて、前記運動情報を補正することが好ましい。
ここで、食事におけるタンパク質、脂質及び炭水化物の比率（いわゆるＰＦＣ比）によっては、血糖値の上昇の仕方が変わる。例えば、食事に占めるタンパク質の割合が高いと、食後の最大血糖値は低くなりやすいが、最大血糖値が維持される期間（平衡期）が長くなる傾向がある。食事に占める脂質の割合が高い場合は、その傾向がより大きくなる。一方、食事に占める炭水化物の割合が高いと、食後の最大血糖値が高くなりやすいが、当該最大血糖値が維持される期間が短くなる傾向がある。
このため、上記第１態様では、食事におけるタンパク質、脂質及び炭水化物の比率に基づいて、運動情報を補正することにより、食後の血糖値の上昇をより効果的に抑制できる運動を使用者に確実に提示できる。
【００１０】
上記第１態様では、前記使用者情報に含まれる前記使用者の血糖値の上がり方を示す血糖値変化情報に基づいて、前記運動の開始タイミングを設定するタイミング設定部を有し、前記提示部は、前記開始タイミングを提示することが好ましい。
ここで、運動の開始タイミングが、食後に血糖値が上昇する期間（上昇期）に設定される場合には、運動を実施することにより、実施しない場合に比べて最大血糖値を低減できる。一方、運動の開始タイミングが、最大血糖値が維持される期間（平衡期）や、血糖値が下降する期間（下降期）に設定される場合には、低い強度の運動であっても、血糖値を比較的容易に下げることができる。
このため、上記第１態様では、使用者の目的に応じて、開始タイミングを設定することで、目的に応じた運動を提示できる。
【００１１】
なお、運動の開始タイミングが、上記上昇期に設定される場合、運動を実施することにより、上記のように最大血糖値を低減できるので、血糖値の変動幅を小さくすることができる。このため、血糖値の変動に伴う血管の損傷を抑制できる他、当該運動を繰り返し実行することで、インスリン抵抗性の改善が期待される。このため、運動の開始タイミングは、血糖値が最大血糖値に達するまでの期間に設定されることが好ましい。
一方、上記のように、食事におけるＰＦＣ比によって、血糖値の上昇期間が変動するので、食事内容を考慮して、上記開始タイミングを設定してもよい。
【００１２】
上記第１態様では、前記運動情報により示される前記運動を実施した場合の前記使用者の血糖値変化である運動後血糖値変化を予測する運動後血糖値予測部を有し、前記提示部は、前記運動後血糖値変化を提示することが好ましい。
上記第１態様では、運動後血糖値予測部により予測された運動後血糖値変化が提示されることにより、使用者が、提示された運動を実施することによって血糖値がどのように変化するかを把握できる。従って、運動に対する使用者のモチベーションを高めることができる。
【００１３】
上記第１態様では、前記食事情報に基づいて、前記食事を摂取した場合の前記使用者の血糖値変化である食後血糖値変化を予測する食後血糖値予測部を有し、前記提示部は、前記食後血糖値変化、及び、前記運動後血糖値変化を提示することが好ましい。
上記第１態様によれば、上記運動後血糖値変化の他、食後血糖値予測部により予測された食後血糖値変化が提示される。これによれば、使用者は、提示された運動を実施した場合と実施しない場合との血糖値変化を比較できる。従って、運動に対する使用者のモチベーションを一層高めることができる。
【００１４】
本発明の第２態様に係る運動提示方法は、使用者に実施させる運動の内容を提示する運動提示装置を用いて行われる運動提示方法であって、前記使用者に関連する使用者情報に基づいて設定され、前記使用者に実施させる運動の運動時間及び運動強度を含む運動情報を、前記使用者の食事の内容を示す食事情報に基づいて補正する運動補正ステップと、補正された前記運動情報に含まれる前記運動強度及び当該運動強度に応じた運動種別の少なくともいずれかと、補正された前記運動情報に含まれる前記運動時間とを提示する提示ステップと、を含むことを特徴とする。
上記第２態様によれば、当該運動提示方法を運動提示装置に適用することにより、上記第１態様に係る運動提示装置と同様の効果を奏することができる。
【００１５】
本発明の第３態様に係る運動提示プログラムは、使用者に実施させる運動の内容を提示する運動提示装置により実行される運動提示プログラムであって、前記運動提示装置に、前記使用者に関連する使用者情報に基づいて設定され、前記使用者に実施させる運動の運動時間及び運動強度を含む運動情報を、前記使用者の食事の内容を示す食事情報に基づいて補正する運動補正ステップと、補正された前記運動情報に含まれる前記運動強度及び当該運動強度に応じた運動種別の少なくともいずれかと、補正された前記運動情報に含まれる前記運動時間とを提示する提示ステップと、を実行させることを特徴とする。
上記第３態様によれば、当該運動提示プログラムを運動提示装置が適用することにより、上記第１態様に係る運動提示装置と同様の効果を奏することができる。
【００１６】
なお、このような運動提示プログラムは、コンピューター読取可能に記録媒体に記録されていてもよい。このような記録媒体から、運動提示装置が当該運動提示プログラムを読み取って実行することで、上記第１態様に係る運動提示装置と同様の効果を奏することが可能となる。このような記録媒体としては、磁気テープ、磁気ディスク、光ディスク、光磁気ディスク、ＨＤＤ（Hard Disk Drive）及び半導体メモリー等を例示でき、これらを利用して、運動提示プログラムを情報処理装置にて実行できる。この他、当該運動提示プログラムは、ネットワークを介して提供されてもよい。
【図面の簡単な説明】
【００１７】
【図１】本発明の一実施形態に係る運動支援システムを示す模式図。
【図２】上記実施形態における情報処理装置の構成を示すブロック図。
【図３】上記実施形態における制御部の構成を示すブロック図。
【図４】上記実施形態におけるメニュー画面の一例を示す図。
【図５】上記実施形態における運動表示画面の一例を示す図。
【図６】上記実施形態における身体情報登録画面の一例を示す図。
【図７】上記実施形態における食事内容登録画面の一例を示す図。
【図８】上記実施形態における簡易登録画面の一例を示す図。
【図９】上記実施形態における投薬状況登録画面の一例を示す図。
【図１０】上記実施形態における睡眠登録画面の一例を示す図。
【図１１】上記実施形態におけるカレンダー表示画面の一例を示す図。
【図１２】上記実施形態における糖尿病進行度に応じた血糖値変化の一例を示す図。
【図１３】上記実施形態におけるＰＦＣ比に応じた血糖値変化の一例を示す図。
【図１４】上記実施形態における運動提示画面の一例を示す図。
【図１５】上記実施形態における情報提示画面の一例を示す図。
【図１６】上記実施形態における運動提示処理を示すフローチャート。
【発明を実施するための形態】
【００１８】
以下、本発明の一実施形態について、図面に基づいて説明する。
［運動支援システムの概略構成］
図１は、本実施形態に係る運動支援システム１を示す模式図である。
本実施形態に係る運動支援システム１は、図１に示すように、測定装置２及び情報処理装置３を備える。この運動支援システム１では、情報処理装置３が、測定装置２により測定された使用者の行動に関する行動情報を保持する他、入力された使用者の食事内容を示す食事情報や、使用者に関連する使用者情報に基づいて、当該使用者に適した運動を提示する。
【００１９】
［測定装置の構成］
測定装置２は、使用者に装着されて、当該使用者の上記行動情報を記録及び送信可能に構成されている。このような測定装置２としては、使用者の脈拍等の生体情報、及び、加速度等の動作情報を測定する脈拍計を例示できる他、当該動作情報を測定して使用者の歩数を計測し、これにより、消費カロリーを計算する活動量計を例示できる。
【００２０】
［情報処理装置の構成］
図２は、情報処理装置３の構成を示すブロック図である。
情報処理装置３は、測定装置２から受信される上記行動情報を記憶する。また、情報処理装置３は、本発明の運動提示装置に相当し、使用者により入力された食事情報等に基づいて、使用者に適した運動（例えば、最大血糖値を低減できる運動）を提示する。この情報処理装置３は、例えばスマートフォン（多機能携帯電話機）、タブレット及びＰＣ（Personal Computer）等により構成できる。
このような情報処理装置３は、図２に示すように、操作部３１、通信部３２、表示部３３、音声出力部３４、記憶部３５、描画部３６及び制御部３７を備える。
【００２１】
操作部３１は、使用者による入力操作を受け付け、当該入力操作に応じた操作情報を制御部３７に出力する。このような操作部３１は、例えば、情報処理装置３の筐体に設けられた物理キーやタッチパネル等により構成できる他、当該情報処理装置３に接続されたキーボード及びポインティングデバイス等により構成できる。
通信部３２は、測定装置２等の外部機器と通信可能な第１通信モジュールと、インターネット等のネットワーク上のサーバー（図示省略）と通信可能な第２通信モジュールとを有し、制御部３７による制御の下、当該外部機器やサーバーと通信する。なお、測定装置２及びサーバーのそれぞれと同じ通信方式で通信可能である場合には、第１通信モジュール及び第２通信モジュールのうち一方があればよく、サーバーとの通信が不要であれば、第２通信モジュールはなくてもよい。
【００２２】
表示部３３は、描画部３６により描画された画像を表示する。具体的に、表示部３３は、制御部３７により実行されるＯＳ（Operating System）及びアプリケーションの実行画面を表示する。すなわち、表示部３３は、後述する運動支援アプリケーションの実行画面を表示して、運動情報等を使用者に提示する提示部として機能する。このような表示部３３は、例えば、液晶、有機ＥＬ（Electro-Luminescence）及び電気泳動等の各種表示パネルにより構成できる。
音声出力部３４は、スピーカーを備えて構成され、制御部３７から入力される音声情報に応じた音声を出力する。例えば、音声出力部３４は、制御部３７が運動支援アプリケーションを実行する場合には、使用者に提示する情報に応じた音声を出力する。すなわち、音声出力部３４は、上記表示部３３と同様に、本発明の提示部に相当する。
【００２３】
記憶部３５は、ＨＤＤ（Hard Disk Drive）やフラッシュメモリー等により構成され、情報処理装置３の動作に必要なプログラム及びデータを記憶する。このようなプログラムとして、記憶部３５は、例えば、情報処理装置３を制御するＯＳの他、後述する運動提示処理を制御部３７に実行させる運動支援アプリケーション（運動提示プログラム）を記憶している。また、上記データとして、記憶部３５は、例えば、使用者情報を記憶する他、測定装置２から受信された上記行動情報、及び、運動支援アプリケーションの実行画面にて入力された各種情報を記憶する。更に、記憶部３５は、運動強度と、歩行、走行、サイクリング等の運動種別とが関連付けられたテーブルを記憶している。
【００２４】
描画部３６は、描画回路により構成され、制御部３７の制御の下、表示部３３に表示させる画像を描画する。例えば、描画部３６は、制御部３７が記憶部３５に記憶された運動提示プログラムを実行した際の実行画面を描画する。
【００２５】
［制御部の構成］
図３は、制御部３７の構成を示すブロック図である。
制御部３７は、ＣＰＵ（Central Processing Unit）を備えて構成され、記憶部３５に記憶されたプログラムを当該ＣＰＵが実行することにより、情報処理装置３の動作を制御する。このような制御部３７は、ＯＳ実行部３７Ａ及びアプリケーション実行部３７Ｂと、を備える。
【００２６】
ＯＳ実行部３７Ａは、記憶部３５に記憶されたＯＳを実行する機能部であり、通信制御部３７１、表示制御部３７２、音声出力制御部３７３及び計時部３７４を有する。
通信制御部３７１は、通信部３２を制御して、外部機器と通信する。
表示制御部３７２は、描画部３６を制御して、当該描画部３６にＯＳやアプリケーションの実行画面を描画させ、当該実行画面を表示部３３に表示させる。
音声出力制御部３７３は、ＯＳやアプリケーションの実行時に出力させる音声の音声情報を上記音声出力部３４に出力する。
計時部３７４は、現在時刻を計時する。
【００２７】
アプリケーション実行部３７Ｂは、記憶部３５に記憶されたアプリケーションのうち、操作部３１から入力される操作情報に応じてＯＳ実行部３７Ａにより指示されたアプリケーションを実行する。
【００２８】
［実行画面の構成］
上記表示制御部３７２は、アプリケーション実行部３７Ｂによる運動支援アプリケーションの実行時に、以下に示す実行画面ＥＳ（ＥＳ１〜ＥＳ９）を描画部３６に描画させて、当該各画面ＥＳを表示部３３に表示させる。
以下、各画面ＥＳの構成及び動作について説明する。
【００２９】
［メニュー画面の構成及び動作］
図４は、運動支援アプリケーションの実行時に表示される実行画面ＥＳのうち、メニュー画面ＥＳ１の一例を示す図である。
図４に示すメニュー画面ＥＳ１は、運動支援アプリケーションを実行して、ログイン画面にてログインした後に表示される画面である。このメニュー画面ＥＳ１には、画面上部及び画面下部にそれぞれ固定表示領域Ｆ１，Ｆ２が設定され、これらの間に可変表示領域Ｖ１が設定されている。
【００３０】
画面上部の固定表示領域Ｆ１には、現在時刻が設定される時刻表示領域Ｆ１１が配置されている。また、固定表示領域Ｆ１の左側には、押下（入力）されると当該メニュー画面ＥＳ１に遷移するボタンＦ１２が配置され、右側には、押下されるとヘルプ画面に遷移するボタンＦ１３が配置されている。また、当該固定表示領域Ｆ１の略中央には、可変表示領域Ｖ１に設定される内容を示すタイトルＦ１４が配置されている。
画面下部の固定表示領域Ｆ２の左右には、ボタンＦ２１，Ｆ２２が配置されている。これらボタンＦ２１，Ｆ２２は、画面を遷移するためのボタンであり、メニュー画面ＥＳ１では、ボタンＦ２１が押下される毎に、より前の日付のメニュー画面に遷移され、また、ボタンＦ２２が押下される毎に、より後の日付のメニュー画面に遷移される。
【００３１】
可変表示領域Ｖ１には、５つの選択項目Ｖ１１〜Ｖ１５が縦方向に直列に配列されている。これら選択項目Ｖ１１〜Ｖ１５には、該当する選択項目Ｖ１１〜Ｖ１５の項目名の他、当該選択項目Ｖ１１〜Ｖ１５に関するデータが設定されている。例えば、最上段に設定された選択項目Ｖ１１には、項目名として「運動」が表記され、当該項目名の右側に、既に入力されたデータにより求められた当日の運動時間である「４７分」が表記されている。また、例えば、中央に設定された選択項目Ｖ１３には、項目名として「食事」が表記され、当該項目名の右側に、既に入力された食事情報により求められた当日の摂取カロリーである「２，３４５ｋｃａｌ」が表記されている。「食事」及び「睡眠」とそれぞれ表記された選択項目Ｖ１２，Ｖ１５も同様である。なお、「くすり」と表記された選択項目Ｖ１４には、項目名のみ表記されている。
これら選択項目Ｖ１１〜Ｖ１５のうち、いずれかが押下されると、該当する選択項目の画面ＥＳ２〜ＥＳ６に遷移する。
【００３２】
更に、可変表示領域Ｖ１における下部には、メモを入力できる入力領域Ｖ１６が配置されており、当該入力領域Ｖ１６に入力された内容は、現在表示中のメニュー画面ＥＳ１の日付に関連付けて記憶部３５に記憶される。このため、当該日付のメニュー画面ＥＳ１を再度表示させた場合には、当該内容を閲覧可能である。
一方、可変表示領域Ｖ１における右上の部位には、格子状のボタンＶ１７が配置され、当該ボタンＶ１７が押下されると、後述するカレンダー表示画面ＥＳ７に遷移される。
【００３３】
［運動表示画面の構成及び動作］
図５は、実行画面ＥＳのうち、運動表示画面ＥＳ２の一例を示す図である。
上記選択項目Ｖ１１が押下された場合、或いは、後述する睡眠登録画面ＥＳ６にてボタンＦ２２が押下された場合には、図５に示す運動表示画面ＥＳ２が表示される。この運動表示画面ＥＳ２は、上記測定装置２から受信されるデータに基づく使用者の運動状態を表示する画面である。この運動表示画面ＥＳ２は、上記固定表示領域Ｆ１，Ｆ２と、可変表示領域Ｖ２と、を有する。
【００３４】
可変表示領域Ｖ２における上部には、表示されるデータの日付、及び、当該日付の使用者の歩数が配置されている。
可変表示領域Ｖ２における略中央には、使用者の運動のレベル及び運動時間を示す数値及び円グラフが配置される他、当該日付の時間毎の行動種別及び運動のレベルを時系列で示す図が配置される。
可変表示領域Ｖ２における下部には、「戻る」と表記されたボタンＶ２１が配置され、当該ボタンＶ２１を入力することで、上記メニュー画面ＥＳ１に遷移できる。
なお、運動表示画面ＥＳ２の固定表示領域Ｆ２に配置されたボタンＦ２１，Ｆ２２のうち、ボタンＦ２１が押下されると、後述する睡眠登録画面ＥＳ６に遷移され、ボタンＦ２２が押下されると、身体情報登録画面ＥＳ３に遷移される。
【００３５】
このような運動表示画面ＥＳ２は、本実施形態では、使用者の運動状態を表示する画面として構成した。しかしながら、これに限らず、使用者が自身の運動の内容を入力して登録する画面として構成してもよい。この場合、運動表示画面ＥＳ２は、後述する運動提示処理が実行されることで提示された運動を実施したか否かを使用者がチェックすることで、実施した運動に関する情報が記憶部３５に記憶される構成としてもよく、或いは、使用者が実施した運動の開始時刻、運動時間及び運動強度等を当該使用者が入力可能な構成としてもよい。
【００３６】
［身体情報登録画面の構成及び動作］
図６は、実行画面ＥＳのうち、身体情報登録画面ＥＳ３の一例を示す図である。
上記メニュー画面ＥＳ１にて選択項目Ｖ１２が押下された場合、或いは、上記運動表示画面ＥＳ２にてボタンＦ２２が押下された場合には、図６に示す身体情報登録画面ＥＳ３が表示される。この身体情報登録画面ＥＳ３は、使用者の身体情報を登録及び表示する画面であり、上記固定表示領域Ｆ１，Ｆ２と、可変表示領域Ｖ３と、を有する。
【００３７】
可変表示領域Ｖ３における上部には、表示されるデータの日付、及び、使用者の目標の体脂肪率に対する現在の体脂肪率の割合を示す円グラフが配置されている。
可変表示領域Ｖ３における略中央には、体重入力欄Ｖ３１、体脂肪率入力欄Ｖ３２、血糖値の測定時刻入力欄Ｖ３３、血糖値入力欄Ｖ３４、及び、「血糖値記録」と表記された記録ボタンＶ３５が配置されている。更に、既に登録された測定時刻及び血糖値が設定される行を有するテーブルＶ３６と、当該行に対応する削除ボタンＶ３７とが配置され、これらの下方には、「ＯＫ」と表記された登録ボタンＶ３８と、「キャンセル」と表記されたキャンセルボタンＶ３９とが配置されている。そして、各入力欄Ｖ３１〜Ｖ３４に体重、体脂肪率、時刻及び血糖値を入力した上で、登録ボタンＶ３８が押下されると、入力内容が確定され、当該入力内容が記憶部３５に記憶されて登録される。キャンセルボタンＶ３９が押下されると、上記メニュー画面ＥＳ１に戻る。
なお、身体情報登録画面ＥＳ３の固定表示領域Ｆ２に配置されたボタンＦ２１，Ｆ２２のうち、ボタンＦ２１が押下されると、食事内容登録画面ＥＳ４に遷移され、ボタンＦ２２が押下されると、上記運動表示画面ＥＳ２に遷移される。
【００３８】
［食事内容登録画面の構成及び動作］
図７は、実行画面ＥＳのうち、食事内容登録画面ＥＳ４の一例を示す図である。
上記メニュー画面ＥＳ１にて選択項目Ｖ１３が押下された場合、或いは、上記身体情報登録画面ＥＳ３にてボタンＦ２２が押下された場合には、図７に示す食事内容登録画面ＥＳ４が表示される。この食事内容登録画面ＥＳ４は、使用者が摂取した食事の内容を登録及び表示する画面であり、上記固定表示領域Ｆ１，Ｆ２と、可変表示領域Ｖ４と、を有する。
【００３９】
可変表示領域Ｖ４における上部には、表示されるデータの日付と、使用者の１日の目標摂取カロリーに対する現時点までの１日の摂取カロリーにおけるタンパク質（Ｐ）、脂質（Ｆ）及び炭水化物（Ｃ）の比率を示す円グラフとが配置されている。
可変表示領域Ｖ４における下部には、「食事内容入力」と表記された詳細登録ボタンＶ４１、「かんたん入力」と表記された簡易登録ボタンＶ４２、及び、「戻る」と表記された戻るボタンＶ４３が配置される。
【００４０】
これらのうち、詳細登録ボタンＶ４１が押下されると、図示を省略するが、使用者が摂った食事のメニュー及び食事量を選択可能な画面が表示される。そして、当該画面にて、使用者が食事内容に応じて項目を選択及び入力することで、食事内容が記憶部３５に記憶されて登録される他、当該食事内容が分析されて、食事におけるタンパク質、脂質及び炭水化物のカロリー及び比率（ＰＦＣ比）と、糖質量、塩分量、及び、食事の総カロリーとが算出される（これらを総称して、食事情報と称する）。そして、これらの算出結果が、可変表示領域Ｖ４における略中央に配置されたテーブルＶ４４に反映される他、食事の時刻、総カロリー及び糖質量が、テーブルＶ４５に反映される。なお、食事内容の分析は外部のデータベースを照会又は経由して実行しても良い。
なお、テーブルＶ４５の行には、既に登録済みの食事情報のうち、食事の時刻情報、総カロリー及び糖質量が設定される。そして、食事情報が設定された行を使用者が選択すると、当該食事情報の詳細な内容が、上記テーブルＶ４４に表示される。なお、食事の時刻情報としては、食事の開始時刻や食事の終了時刻、若しくは、食事の所要時間であってもよい。
【００４１】
［簡易登録画面の構成及び動作］
図８は、実行画面ＥＳのうち、簡易登録画面ＥＳ４Ａの一例を示す図である。
一方、簡易登録ボタンＶ４２が押下されると、図８に示す簡易登録画面ＥＳ４Ａに遷移される。この簡易登録画面ＥＳ４Ａは、食事の時刻、種別及び食事量（食事量の主観的な情報や、相対的な情報）を登録する画面であり、上記固定表示領域Ｆ１，Ｆ２と、可変表示領域Ｖ４Ａと、を有する。
なお、当該簡易登録画面ＥＳ４Ａの固定表示領域Ｆ２には、ボタンＦ２１，Ｆ２２が配置されていないが、身体情報登録画面ＥＳ３に遷移するボタンとしてボタンＦ２１を配置し、投薬状況登録画面ＥＳ５に遷移するボタンとしてボタンＦ２２を配置してもよい。
【００４２】
可変表示領域Ｖ４Ａには、食事の時刻を入力させる時刻入力欄Ｖ４Ａ１と、「食事」、「飲酒」及び「食事と飲酒」等の種別を選択させる種別選択欄Ｖ４Ａ２と、食事量に応じて押下される食事量設定ボタンＶ４Ａ３〜Ｖ４Ａ５と、が配置されている。これらのうち、ボタンＶ４Ａ３には「少なめ」と表記され、ボタンＶ４Ａ４には「普通」と表記され、ボタンＶ４Ａ５には「多め」と表記されている。これらボタンＶ４Ａ３〜Ｖ４Ａ５のうち、いずれかが押下されると、押下されたボタンの応じた食事量が設定され、種別選択欄Ｖ４Ａ２にて選択された種別に基づいて算出されるカロリーが、可変表示領域Ｖ４Ａにおける略中央に配置されたカロリー表示領域Ｖ４Ａ６にて表示される。
そして、可変表示領域Ｖ４Ａにおける下部に配置された登録ボタンＶ４Ａ７が押下されると、簡易登録画面ＥＳ４Ａにて入力及び選択された食事内容が、記憶部３５に記憶されて登録される。一方、同じく下部に配置されたキャンセルボタンＶ４Ａ８が押下されると、上記食事内容登録画面ＥＳ４に画面が遷移する。
【００４３】
このようにして食事内容が登録されると、図８に示した食事内容登録画面ＥＳ４の上記テーブルＶ４５に、登録内容が反映される。
なお、食事内容登録画面ＥＳ４の固定表示領域Ｆ２に配置されたボタンＦ２１，Ｆ２２のうち、ボタンＦ２１が押下されると、投薬状況登録画面ＥＳ５に遷移され、ボタンＦ２２が押下されると、上記身体情報登録画面ＥＳ３に遷移される。
【００４４】
［投薬状況登録画面の構成及び動作］
図９は、実行画面ＥＳのうち、投薬状況登録画面ＥＳ５の一例を示す図である。
上記メニュー画面ＥＳ１にて選択項目Ｖ１４が押下された場合、或いは、上記食事内容登録画面ＥＳ４にてボタンＦ２２が押下された場合には、図９に示す投薬状況登録画面ＥＳ５が表示される。この投薬状況登録画面ＥＳ５は、使用者が自らに投与した薬の内容を登録する画面であり、上記固定表示領域Ｆ１，Ｆ２と、可変表示領域Ｖ５と、を有する。
【００４５】
可変表示領域Ｖ５における上部には、表示されるデータの日付の他、朝、昼及び夜に飲む薬の種別及び量が設定された列と、薬を飲んだか否かをチェック可能な列とが設定されたテーブルＶ５１が配置されている。
可変表示領域Ｖ５における略中央には、インスリンを投与した時刻及び単位を入力させる入力欄Ｖ５２，Ｖ５３及び「インスリン記録」と表記された記録ボタンＶ５４が配置されている。
【００４６】
可変表示領域Ｖ５における下部には、既に登録された投与時刻及びインスリン単位が設定される行を有するテーブルＶ５５と、当該行に対応する削除ボタンＶ５６とが配置され、これらの更に下方には、「ＯＫ」と表記された登録ボタンＶ５７と、「キャンセル」と表記されたキャンセルボタンＶ５８とが設定されている。そして、各入力欄Ｖ５２，Ｖ５３に投与時刻及びインスリン単位を入力した上で、記録ボタンＶ５４が押下されると、入力内容がテーブルＶ５５に反映される。一方、削除ボタンＶ５６が押下されると、該当する行の情報が削除される。
【００４７】
そして、登録ボタンＶ５７が押下されると、入力内容が確定され、当該入力内容が記憶部３５に記憶されて登録される。一方、キャンセルボタンＶ５８が押下されると、上記メニュー画面ＥＳ１に戻る。
なお、投薬状況登録画面ＥＳ５の固定表示領域Ｆ２に配置されたボタンＦ２１，Ｆ２２のうち、ボタンＦ２１が押下されると、睡眠登録画面ＥＳ６に遷移され、ボタンＦ２２が押下されると、上記食事内容登録画面ＥＳ４に遷移される。
【００４８】
［睡眠登録画面の構成及び動作］
図１０は、実行画面ＥＳのうち、睡眠登録画面ＥＳ６の一例を示す図である。
上記メニュー画面ＥＳ１にて選択項目Ｖ１５が押下された場合、或いは、上記投薬状況登録画面ＥＳ５にてボタンＦ２２が押下された場合には、図９に示す睡眠登録画面ＥＳ６が表示される。この睡眠登録画面ＥＳ６は、使用者の睡眠時間を登録する画面であり、上記固定表示領域Ｆ１，Ｆ２と、可変表示領域Ｖ６と、を有する。
【００４９】
可変表示領域Ｖ６における上部には、表示されるデータの日付が配置され、略中央には、使用者の浅い睡眠及び深い睡眠のそれぞれの時間と、各睡眠時間の割合を示す円グラフと、が配置される。
可変表示領域Ｖ６における中央には、既に登録された睡眠の開始時刻、終了時刻及び睡眠時間が設定されるテーブルＶ６１が配置されている。これらの情報は、当該テーブルＶ６１においてデータが設定されていない行に対して各時刻及び時間を入力してもよく、或いは、測定装置２から受信される行動情報に基づいて各行に自動的に設定されてもよい。また、テーブルＶ６１における各行の右側に配置された削除ボタンＶ６２を押下することで、対応する行のデータを削除できる。
【００５０】
そして、可変表示領域Ｖ６における下部に配置された登録ボタンＶ６３が押下されると、テーブルＶ６１に新たに入力された情報が、記憶部３５に記憶されて登録される。一方、同じく下部に配置されたキャンセルボタンＶ６４が押下されると、上記メニュー画面ＥＳ１に画面が遷移する。
なお、睡眠登録画面ＥＳ６の固定表示領域Ｆ２に配置されたボタンＦ２１，Ｆ２２のうち、ボタンＦ２１が押下されると、投薬状況登録画面ＥＳ５に遷移され、ボタンＦ２２が押下されると、上記運動表示画面ＥＳ２に遷移される。
【００５１】
［カレンダー表示画面の構成及び動作］
図１１は、実行画面ＥＳのうち、カレンダー表示画面ＥＳ７の一例を示す図である。
上記メニュー画面ＥＳ１に配置されたボタンＶ１７が押下されると、図１１に示すカレンダー表示画面ＥＳ７が表示される。このカレンダー表示画面ＥＳ７は、上記固定表示領域Ｆ１，Ｆ２と、可変表示領域Ｖ７と、を有する。
可変表示領域Ｖ７には、当月のカレンダーＶ７１が配置され、当該カレンダーＶ７１における各日付表示欄に、目標運動及び目標食事量に対する達成度が星マークで示される。これら日付表示欄を押下すると、図示を省略するが、該当する日付の詳細データを閲覧可能な画面、或いは、当該日付のメニュー画面ＥＳ１に遷移される。
【００５２】
なお、カレンダー表示画面ＥＳ７の固定表示領域Ｆ２に配置されたボタンＦ２１，Ｆ２２のうち、ボタンＦ２１が押下される毎に、より前月のカレンダー表示画面ＥＳ７に遷移され、また、ボタンＦ２２が押下される毎に、より後月のカレンダー表示画面ＥＳ７に遷移される。
以上示した運動支援アプリケーションの実行画面ＥＳは、一例として示したものである。このため、各画面における入力項目及びボタン等のレイアウト、並びに、配置された入力項目及び選択項目の内容等は上記に限定されるものではなく、適宜変更可能である。以降の図１４及び図１５で示す実行画面ＥＳ（運動提示画面ＥＳ８及び情報提示画面ＥＳ９）のレイアウト及びも同様である。
【００５３】
［アプリケーション実行部の構成］
図３に戻り、アプリケーション実行部３７Ｂは、上記運動支援アプリケーションを実行することで実現される機能部として、情報登録部３７５、タイミング設定部３７６、運動設定部３７７、運動補正部３７８、運動種別抽出部３７９、血糖値予測部３８０及び提示情報生成部３８１を有する。
【００５４】
［情報登録部の構成］
情報登録部３７５は、上記各画面ＥＳ２〜ＥＳ６，ＥＳ４Ａにて使用者により入力又は選択された各項目の情報を、当該各画面ＥＳ２〜ＥＳ６，ＥＳ４Ａに表示された日付と関連付けて記憶部３５に記憶させ、これにより、各項目の情報を登録する。
【００５５】
［タイミング設定部の構成］
タイミング設定部３７６、運動設定部３７７、運動補正部３７８、運動種別抽出部３７９、血糖値予測部３８０及び提示情報生成部３８１は、使用者の食事内容に応じた運動を提示する運動提示処理を実行する際に機能する。
タイミング設定部３７６は、使用者に実施させる運動の開始タイミングを設定する。このタイミング設定部３７６は、予め記憶部３５に記憶された使用者の血糖値の上がり方（上昇カーブ）を示す血糖値変化情報に基づいて、当該開始タイミングを設定する。
【００５６】
図１２は、糖尿病の進行度に応じた血糖値変化の一例を示す図である。
ここで、一般的に血糖値は、食事開始時から上昇して最大血糖値に達し、変動しない状態がしばらく継続した後に下降する。このような血糖値変化は、図１２に示すように、糖尿病の進行度によって異なる。すなわち、糖尿病の進行度によって、食後に血糖値が上昇する上昇期、血糖値に変化がほぼない平衡期、及び、血糖値が下降する下降期の時間が異なる。
例えば、インスリンの分泌が健常者に近い糖尿病予備群では、図１２において実線で示すように、上昇期は略６０分間であり、平衡期は略３０分間であり、下降期は略６０分間である。このため、食事開始から６０分後の血糖値よりも１２０分後の血糖値の方が低くなりやすい。
【００５７】
また、インスリンの分泌が健常者より少ない軽度の糖尿病患者では、図１２において点線で示すように、上昇期は略９０分間であり、平衡期は略６０分間であり、下降期は略９０分間である。このため、食事開始から６０分後の血糖値よりも１２０分後の血糖値の方が高くなりやすい。
更に、インスリンの分泌が非常に少ない重度の糖尿病患者では、図１２において一点鎖線で示すように、上昇期は略１２０分間であり、平衡期は略１２０分間であり、下降期は略１２０分間である。このため、血糖値が比較的高い状態が継続しやすく、食事開始から６０分後の血糖値よりも１２０分後の血糖値の方が高くなりやすい。
このような使用者ごとの血糖値の上がり方は、例えばＯＧＴＴにより測定でき、当該血糖値の上がり方を示す血糖値変化情報は、記憶部３５に記憶されている。
【００５８】
図１３は、食事におけるＰＦＣ比（タンパク質、脂質及び炭水化物の構成比率）に応じた血糖値変化の一例を示す図である。
更に、図１３に示すように、食事におけるＰＦＣ比によっても、上昇期、平衡期及び下降期の時間はそれぞれ変動する。
例えば、図１３において実線で示す通常の食事（食事の５０％以上７０％以下を炭水化物が占める食事）を摂取した場合に比べて、図１３において点線で示す食事（食事の８０％以上を炭水化物が占める食事）を摂取した場合には、上昇期、平衡期及び下降期がそれぞれ略０．８倍となる。また、当該通常の食事を摂取した場合に比べて、図１３において一点鎖線で示す食事（食事の３０％以上をタンパク質が占める食事）を摂取した場合には、上記上昇期、平衡期及び下降期がそれぞれ略１．５倍となり、図１３において二点鎖線で示す食事（食事の４０％以上を脂質が占める食事）を摂取した場合には、上記上昇期、平衡期及び下降期がそれぞれ略２．０倍となる。
【００５９】
そして、糖尿病においては、血糖値の変動が大きい場合に血管が損傷しやすく、これによって、種々の合併症が引き起こされると考えられている。このため、血糖値の変動幅、すなわち、最大血糖値を小さくするためには、食事によって血糖値が上昇している期間に高い運動強度の運動を実施して、最大血糖値を下げる必要がある。なお、最大血糖値に達して血糖値変化が平衡状態となっている場合には、中程度の運動強度の運動でも血糖値を下げることができ、更に、血糖値の下降時には、比較的低い運動強度の運動（軽い運動）でも血糖値を下げやすくすることができる。
【００６０】
これらを踏まえ、本実施形態のタイミング設定部３７６は、上記血糖値変化情報及び食事情報に基づいて、使用者の食後の血糖値が上昇している期間に、運動の開始タイミングを設定する。
具体的に、タイミング設定部３７６は、開始タイミングとして、上記糖尿病予備群では食事開始から６０分以内のタイミングを設定し、軽度の糖尿病患者では食事開始から９０分以内のタイミングを設定し、重度の糖尿病患者では食事開始から１２０分以内のタイミングを設定する。そして、タイミング設定部３７６は、上記食事内容登録画面ＥＳ４にて登録された食事情報に含まれるＰＦＣ比（直前の食事のＰＦＣ比）に基づいて、上記開始タイミングを補正（調整）する。
このように設定された運動の開始タイミングは、タイミング設定部３７６により、記憶部３５に記憶される。
【００６１】
なお、食後すぐに運動することが好ましいように思われるが、食後３０分以内に運動を開始すると、消化を阻害する等の理由で体調の悪化を引き起こしやすい。このため、タイミング設定部は、食後３０分以降に、開始タイミングを設定することが好ましい。
また、タイミング設定部３７６は、使用者の血糖値変化情報が登録されていない場合には、糖尿病の進行度に依らずに、食事の摂取に伴って上昇する使用者の血糖値を低減できると判断される、食事開始時刻から３０分後の時刻を上記運動の開始タイミングとして設定してもよい。
【００６２】
［運動設定部の構成］
図３に戻り、運動設定部３７７は、使用者に実施させる運動を設定する。すなわち、運動設定部３７７は、当該運動の運動強度及び運動時間を含む運動情報の目標値（目標運動情報）を設定する。具体的に、運動設定部３７７は、上記アプリケーションの初期設定画面（図示省略）にて登録された使用者の年齢、及び、運動習慣の有無等の使用者情報に基づいて、当該目標運動情報を設定する。
例えば、患者の年齢が４０歳であり運動習慣が有る場合には、運動設定部３７７は、目標運動強度を５０％ＨＲＲ（Heart Rate Reserved）又は脈拍数１２０ｂｐｍとし、目標運動時間を３０分とする。また、患者の年齢が４０歳であるが運動習慣がない場合には、運動設定部３７７は、目標運動強度を４０％ＨＲＲ又は脈拍数１００ｂｐｍとし、目標運動時間を３０分とする。
【００６３】
このような目標運動情報は、使用者により設定されてもよく、第三者（例えば医師等の医療従事者）により設定されてもよい。この際、当該目標運動情報は、使用者及び第三者が情報処理装置３を操作することで設定されてもよく、当該目標運動情報を含むデータを外部機器から受信することによって設定されてもよい。
また、上記では、目標運動強度を、カルボーネン法に基づく運動強度で表したが、酸素消費量であるＭＥＴｓやボルグ指数（主観的運動強度）等の運動強度で表してもよい。
【００６４】
［運動補正部の構成］
運動補正部３７８は、過去の食事内容に基づいて、上記運動設定部３７７により設定された運動情報を補正して、使用者に実施させる運動を、当該使用者にとってより効果的な運動に補正（調整）する。
ここで、一般的に、食事における糖質量が多いほど、当該食事の摂取後の最大血糖値は高くなりやすい。
このため、運動補正部３７８は、上記食事内容登録画面ＥＳ４にて登録された直近の食事の内容を示す食事情報から、食事における糖質量を取得する。
そして、当該糖質量が所定の第１閾値（例えば５０ｇ）未満であれば、運動補正部３７８は、目標運動強度を低減させる。この場合、例えば、目標とする運動強度が４０％ＨＲＲであれば、運動補正部３７８は、１０％ＨＲＲ減算して、当該目標運動強度を３０％ＨＲＲに補正する、若しくは、運動時間を１０％短縮する。
一方、当該糖質量が上記第１閾値より高い第２閾値（例えば１００ｇ）を超える場合には、運動補正部３７８は、目標運動強度を増加させる。この場合、例えば、目標運動強度が４０％ＨＲＲであれば、運動補正部３７８は、１０％ＨＲＲ加算して、当該目標運動強度を５０％ＨＲＲに補正する、若しくは、運動時間を１０％延長する。
これにより、食事における糖質量に応じた効果的な運動強度を算出できる。
【００６５】
また、上記のように、食事におけるＰＦＣ比によって、当該食事の摂取後の血糖値の上昇期、平衡期及び下降期は変動する。
このため、運動補正部３７８は、上記直近の食事の内容を示す食事情報から、食事におけるＰＦＣ比を取得する。そして、当該食事の４０％以上を脂質が占める場合には、運動補正部３７８は、目標運動強度を例えば１０％低減させる補正を実行する。また、当該食事の３０％以上をタンパク質が占める場合には、運動補正部３７８は、目標運動強度を例えば５％低減させる補正を実行する。更に、当該食事の８０％以上を炭水化物が占める場合には、運動補正部３７８は、目標運動強度を例えば５％増加させる補正を実行する。
これにより、食事におけるＰＦＣ比に応じた効果的な運動強度を算出できる。
【００６６】
このようなＰＦＣ比に応じた目標運動情報の補正は、食事における糖質量が５０ｇ以上である場合に実行される。また、食事の４０％以上を脂質が占める場合が最も優先され、食事の８０％以上を炭水化物が占める場合は最も優先度が低い。このため、食事の４０％を脂質が占め、３０％をタンパク質が占める場合には、食事の４０％を脂質が占める場合の上記補正が行われる。
更に、運動補正部３７８は、上記食事情報に含まれ、直近の食事の総カロリーや食事量に基づいて、目標運動時間を補正してもよい。
【００６７】
［運動種別抽出部の構成］
運動種別抽出部３７９は、上記運動設定部３７７により設定され、上記運動補正部３７８により補正された目標運動強度に応じた運動種別を抽出する。具体的に、運動種別抽出部３７９は、上記目標運動強度を取得し、当該目標運動強度に応じた運動種別を、記憶部３５に記憶されたテーブルから取得する。この際、運動種別抽出部３７９は、該当する運動種別が複数ある場合には、該当する複数の運動種別の全てを取得する。
【００６８】
［血糖値予測部の構成］
血糖値予測部３８０は、本発明の食後血糖値予測部及び運動後血糖値予測部に相当し、使用者の血糖値変化を予測して、当該血糖値変化を時系列で示す予測血糖値変化曲線を生成する。具体的に、血糖値予測部３８０は、上記実行画面ＥＳにて登録された使用者の血糖値や直近の食事情報、及び、上記血糖値変化情報等に基づいて、直近の食事を摂取した後の使用者の血糖値変化を予測した予測血糖値変化曲線（食後血糖値変化に相当）を生成する。また、血糖値予測部３８０は、上記タイミング設定部３７６により設定された開始タイミングで、上記目標運動情報により示される運動が実施された場合の使用者の血糖値変化を予測した予測血糖値変化曲線（運動後血糖値変化に相当）を生成する。この際、使用者のインスリン抵抗性及びインスリン分泌量や、上記ＯＧＴＴの試験結果に基づいて、予測血糖値変化曲線を補正してもよい。
このような予測血糖値変化曲線の生成については、特開２０１１−１０４１３８号公報に記載の方法を適用できる。
【００６９】
［提示情報生成部の構成］
図１４は、上記実行画面ＥＳのうち、提示情報生成部３８１により生成された提示情報が組み込まれた運動提示画面ＥＳ８の一例を示す図である。
提示情報生成部３８１は、使用者に提示する提示情報を生成する。具体的に、提示情報生成部３８１は、図１４に示す運動提示画面ＥＳ８に設定される提示情報を生成する。
この運動提示画面ＥＳ８は、上記開始タイミングと、目標運動情報と、目標運動強度に応じた運動種別とを使用者に提示する画面であり、上記固定表示領域Ｆ１，Ｆ２と、可変表示領域Ｖ８と、を有する。
【００７０】
可変表示領域Ｖ８には、運動提示領域Ｖ８１、予測血糖値変化提示領域Ｖ８２及び確認ボタンＶ８３が配置される。
運動提示領域Ｖ８１には、上記開始タイミングと、上記目標運動時間と、上記目標運動強度及び当該目標運動強度に応じた運動種別の少なくともいずれかと、を含む説明文が設定される。図１４に示した運動提示画面ＥＳ８では、開始タイミングとして「７時３０分」が含まれ、目標運動時間として「３０分」が含まれ、目標運動強度として「脈拍数１２０ｂｐｍ」が含まれ、当該運動強度に応じた運動種別として「ランニング」及び「サイクリング」が含まれる説明文が設定される。このような説明文を、提示情報生成部３８１が生成する。
なお、運動提示画面ＥＳ８の表示時には、運動提示領域Ｖ８１に設定された説明文に応じた音声を、音声出力部３４が出力してもよい。
【００７１】
予測血糖値変化提示領域Ｖ８２には、上記血糖値予測部３８０により生成された予測血糖値変化曲線を含むグラフが設定される。具体的に、予測血糖値変化提示領域Ｖ８２に設定されるグラフには、提示された運動を実施しなかった場合の予測血糖値変化曲線（図１４において細線で示す予測血糖値変化曲線）と、当該運動を実施した場合の予測血糖値変化曲線（図１４における太線で示す予測血糖値変化曲線）とが含まれる他、上記開始タイミングを示す点線が含まれる。更に、予測血糖値変化提示領域Ｖ８２における余白部分には、当該運動を実施しなかった場合と実施した場合との予測の最大血糖値が設定される他、当該予測血糖値変化提示領域Ｖ８２には、上記運動を実施することによって変化するグラフ及び最大血糖値を強調して示す表示（本実施形態では矢印）が設定される。このような領域Ｖ８２の設定内容は、提示情報生成部３８１により生成される。
このような運動提示画面ＥＳ８において、確認ボタンＶ８３が押下されると、当該運動提示画面ＥＳ８に遷移する前の画面に戻る。
【００７２】
図１５は、実行画面ＥＳのうち、情報提示画面ＥＳ９の一例を示す図である。
なお、提示情報生成部３８１は、計時部３７４により計時されている現在時刻に応じて、使用者に提示する提示情報を適宜生成する。そして、表示制御部３７２が、当該提示情報を含む情報提示画面ＥＳ９を、表示部３３に表示させる。
この情報提示画面ＥＳ９は、図１５に示すように、上記固定表示領域Ｆ１，Ｆ２及び可変表示領域Ｖ９を有し、当該可変表示領域Ｖ９には、提示情報生成部３８１により生成された提示情報が設定される情報提示領域Ｖ９１と、上記確認ボタンＶ８３と同様の確認ボタンＶ９２と、が配置されている。
【００７３】
そして、例えば、提示情報生成部３８１は、既に登録されている食事情報に基づく提示情報を生成する。例えば、提示情報生成部３８１は、所定期間内の食事情報に基づいて当該期間内のＰＦＣ比率を判定し、当該ＰＦＣ比率が偏っている場合で、かつ、食事前と想定される時刻に達した場合に、図１４に示した情報提示画面ＥＳ９の情報提示領域Ｖ９１に設定れる警告となる提示情報を生成する。このような提示情報が設定された情報提示画面ＥＳ９を使用者に提示することにより、使用者の食生活を改善させる契機となり得る。
また、提示情報生成部３８１は、現在時刻に応じたアドバイスとなる提示情報を生成し、当該提示情報が設定された情報提示画面ＥＳ９を表示させる。例えば、このような提示情報として、就寝前の時刻に生成され、「就寝前の食事により、就寝中に血糖値が高い状態が維持されやすいので、運動する等して十分に血糖値を下げてから寝ましょう」旨の内容を含む提示情報が挙げられる。
【００７４】
同様に、提示情報生成部３８１は、現在時刻に基づいて食事のアドバイスとなる提示情報を生成し、当該提示情報が設定された情報提示画面ＥＳ９を表示させる。
更に、提示情報生成部３８１は、上記投薬状況登録画面ＥＳ５にて登録された情報に基づいて、使用者が経口薬やインスリン投与を行っているか否か、すなわち、薬物療法を実施しているか否かを判定する。そして、薬物療法を実施していると判定される場合には、提示情報生成部３８１は、上記運動提示画面ＥＳ８の表示後、薬物療法対象者向けのアドバイスとなる提示情報を生成して、当該提示情報が設定された情報提示画面ＥＳ９（図示省略）を表示させる。これにより、薬物療法対象者向けのアドバイスを提示できる。
なお、上記運動提示画面ＥＳ８と同様に、情報提示画面ＥＳ９に設定される提示情報に応じた音声を、音声出力部３４が出力してもよい。更に、具体的な食事メニューを推奨する情報を、可変表示領域Ｖ９に表示するように構成しても良い。
【００７５】
［運動提示処理］
図１６は、制御部３７により実行される運動提示処理を示すフローチャートである。
運動提示処理は、上記運動支援アプリケーションに含まれる運動提示プログラムに基づいて実行される処理であり、当該運動支援アプリケーションが実行されている間は、当該運動提示処理の実行が待機される。そして、運動提示処理は、例えば、使用者が上記食事内容登録画面ＥＳ４にて食事内容を登録した場合や、使用者が当該運動提示処理を実行する入力操作を行った場合に、制御部３７により実行される。
この運動提示処理は、図１６に示すように、まず、タイミング設定部３７６が、使用者に運動を開始させる上記開始タイミングを設定する（ステップＳ１）。
また、運動設定部３７７が、使用者情報に基づいて、目標運動情報（目標運動強度及び目標運動時間）を設定する（ステップＳ２）。或いは、当該ステップＳ２では、運動設定部３７７が、予め設定された目標運動情報を取得する。
このステップＳ２の後、運動補正部３７８が、直近の食事情報等に基づいて、目標運動情報を補正する（ステップＳ３）。
【００７６】
次に、運動種別抽出部３７９が、上記目標運動情報に含まれる目標運動強度に対応する運動種別を、記憶部３５に記憶されたテーブルから抽出する（ステップＳ４）。
また、血糖値予測部３８０が、上記目標運動情報により示される運動を実施しなかった場合の予測血糖値変化曲線と、当該運動を実施した場合の予測血糖値変化曲線とを生成する（ステップＳ５）。
そして、提示情報生成部３８１が、使用者に提示する提示情報、すなわち、開始タイミング、目標運動情報、運動種別及び各予測血糖値変化曲線が含まれる提示情報を生成する（ステップＳ６）。
このステップＳ６の後、表示制御部３７２が、当該提示情報が含まれる運動提示画面ＥＳ８を描画部３６に描画させ、当該運動提示画面ＥＳ８を表示部３３に表示させる（ステップＳ７）。
以上により、運動提示処理が終了される。
【００７７】
［実施形態の効果］
以上説明した本実施形態に係る運動支援システム１によれば、以下の効果がある。
運動設定部３７７により使用者情報に基づいて設定された目標運動情報は、運動補正部３７８により、使用者が摂った食事を示す食事情報に基づいて補正される。そして、当該目標運動情報に含まれる目標運動時間及び目標運動強度と、当該目標運動強度に応じた運動種別とが含まれる運動提示画面ＥＳ８が表示部３３に表示され、これにより、実施すべき運動の内容が使用者に提示される。これによれば、使用者の食事内容に応じた運動を、当該使用者に提示できる。従って、例えば、食後の血糖値の上昇を効果的に抑制できる運動を使用者に提示できる。
【００７８】
食事における糖質量が高いと、当該糖質量が低い場合に比べ、食後の最大血糖値が高くなりやすい。これに対し、運動補正部３７８は、食事における糖質量に応じて目標運動情報を補正する。これによれば、食後の血糖値の上昇を効果的に抑制できる運動を使用者に確実に提示できる。
【００７９】
食事におけるＰＦＣ比によって、血糖値の上がり方は変化する。これに対し、運動補正部３７８は、食事におけるＰＦＣ比に基づいて、目標運動情報を補正する。これによれば、食後の血糖値の上昇をより効果的に抑制できる運動を使用者に確実に提示できる。
【００８０】
タイミング設定部３７６は、提示する運動を使用者に開始させる開始タイミングを、食後に血糖値が上昇する期間に設定する。これによれば、提示された運動を使用者が実施することにより、最大血糖値を低くすることができるので、血糖値の変動幅を小さくすることができる。このため、血管の損傷を抑制できる他、当該運動を繰り返し実行することで、インスリン抵抗性の改善が期待される。
【００８１】
表示部３３に表示される運動提示画面ＥＳ８には、血糖値予測部３８０により生成され、かつ、提示された目標運動情報により示される運動を実施した場合の予測血糖値変化曲線が含まれる。これによれば、使用者が、提示された運動を実施することによって血糖値がどのように変化するかを把握できる。従って、運動に対する使用者のモチベーションを高めることができる。
【００８２】
運動提示画面ＥＳ８には、上記運動を実施した場合の予測血糖値変化曲線だけでなく、上記運動を実施しなかった場合の予測血糖値変化曲線が含まれる。これによれば、使用者は、提示された運動を実施した場合と、実施しなかった場合とを比較できる。この際、これら変化曲線は、１つのグラフに表されるので、各変化曲線を容易に比較できる。従って、運動に対する使用者のモチベーションを一層高めることができる。
【００８３】
［実施形態の変形］
本発明は、上記実施形態に限定されるものではなく、本発明の目的を達成できる範囲での変形、改良等は本発明に含まれるものである。
上記実施形態では、情報処理装置３は、測定装置２から行動情報等を受信して記憶部３５に記憶するとした。しかしながら、本発明はこれに限らない。すなわち、測定装置２は必ずしも必要でなく、情報処理装置３は、独立して（単体で）動作可能である。また、情報処理装置３の機能及び構成の一部、または全部を測定装置２に組み込んで本発明を実現するように構成してもよい。更に、情報処理装置３にアプリケーションとして運動支援アプリケーションを導入するのではなく、携帯端末として構成される情報処理装置３や測定装置２に、上記運動支援アプリケーションの実行時に機能する構成を予め組み込んでおいてもよい。
上記実施形態で挙げた数値は、例示として挙げた数値であり、適宜変更可能である。
【００８４】
上記実施形態では、運動設定部３７７は、使用者情報に基づいて目標運動強度及び目標運動時間を設定し、運動補正部３７８は、直近の食事情報等に基づいて、目標運動強度を補正した。しかしながら、本発明はこれに限らない。すなわち、運動補正部３７８は、目標運動強度に代えて、或いは、目標運動強度とともに目標運動時間を補正してもよい。更に、運動補正部３７８は、直近の食事情報に限らず、所定期間内の累積糖質量、及び、所定期間内のＰＦＣ比に基づいて、目標運動時間及び目標運動強度の少なくともいずれかを補正してもよい。更に、運動補正部３７８は、食事情報に含まれる他の情報、例えば、食事のカロリーに基づいて、目標運動時間及び目標運動強度の少なくともいずれかを補正してもよい。加えて、提示される情報は、運動強度及び運動時間の一方のみでもよい。
【００８５】
上記実施形態では、タイミング設定部３７６は、食後に血糖値が上昇する上昇期に、上記運動の開始タイミングを設定した。しかしながら、本発明はこれに限らない。例えば、上記平衡期及び上記下降期に、開始タイミングを設定してもよい。そして、開始タイミングが当該平衡期及び下降期に設定される場合には、運動補正部３７８は、設定された開始タイミングに基づいて、目標運動強度及び目標運動時間の少なくともいずれかを補正してもよい。
【００８６】
上記実施形態では、運動設定部３７７は、使用者情報に含まれる使用者の年齢及び運動習慣の有無に基づいて、目標運動時間及び目標運動強度を設定した。しかしながら、本発明はこれに限らない。例えば、他の情報に基づいて、目標運動時間及び目標運動強度を設定してもよい。更に、運動習慣の有無に基づいて、使用者に実施させる運動の頻度（例えば、３日に１回以上等）を設定し、当該頻度を使用者に提示するように構成してもよい。
【００８７】
上記実施形態では、運動提示画面ＥＳ８には、運動を実施した場合の血糖値変化を示す予測血糖値変化曲線の他、運動を実施しなかった場合の血糖値変化を示す予測血糖値変化曲線が含まれるとした。しかしながら、本発明はこれに限らない。例えば、これら予測血糖値変化曲線のいずれかのみが、運動提示画面ＥＳ８に含まれていてもよく、いずれも含まれていなくてもよい。
また、運動提示画面ＥＳ８には、使用者に実施させる運動の運動時間の他、運動強度及び当該運動強度に対応する運動種別が含まれるとした。しかしながら、本発明はこれに限らない。例えば、運動強度及び運動種別は、これらのうちのいずれかが含まれていればよく、提示される運動強度も、他の形式の運動強度で示してもよい。
【００８８】
上記実施形態では、運動提示プログラムは、運動支援アプリケーションに含まれるとした。しかしながら、本発明はこれに限らない。すなわち、運動提示プログラムは、独立して実行されてもよい。
上記実施形態では、運動提示プログラムは、記憶部３５に記憶されているとした。しかしながら、これに限らず、例えば、ネットワーク上のサーバーや、ディスク型記録媒体及び外付けの半導体メモリー等に格納され、運動提示プログラムを実行する際に、それぞれから取得されてもよい。すなわち、運動提示プログラムの保存形式及び提供形式は、情報処理装置３等のコンピューターにより当該運動提示プログラムを利用可能であれば、どのような形式でもよい。
【符号の説明】
【００８９】
３…情報処理装置（運動提示装置）、３３…表示部（提示部）、３４…音声出力部（提示部）、３７６…タイミング設定部、３７８…運動補正部、３８０…血糖値予測部（運動後血糖値予測部、食後血糖値予測部）。
【図１】
2015181708.tif 000003
【図２】
2015181708.tif 000004
【図３】
2015181708.tif 000005
【図４】
2015181708.tif 000006
【図５】
2015181708.tif 000007
【図６】
2015181708.tif 000008
【図７】
2015181708.tif 000009
【図８】
2015181708.tif 000010
【図９】
2015181708.tif 000011
【図１０】
2015181708.tif 000012
【図１１】
2015181708.tif 000013
【図１２】
2015181708.tif 000014
【図１３】
2015181708.tif 000015
【図１４】
2015181708.tif 000016
【図１６】
2015181708.tif 000017
【図１５】
2015181708.tif 000018